(57)【要約】【課題】流体活性体を用い、人体の血液の酸化ストレスを抑制することができ、小型軽量小型で安価な血液酸化抑制器具を提供する。【解決手段】指を挿入する指挿入穴１が形成され、指挿入穴１の周囲に複数個配設された流体活性体２Ａ、２Ｂ、２Ｃを有し、流体活性体２Ａ、２Ｂ、２Ｃは、エポキシ樹脂５でカバー１０に一体的に固定されており、カバー１０は、ほぼ直角に伸びた直線部１１、１２と、両直線部１１、１２の端部を円弧状に結んだ円弧部１３とから形成され、流体活性体２Ａ、２Ｂ、２Ｃは、円弧部１３の両端より電磁波収束体４側を指挿入穴１に向けて配設された流体活性体２Ａ、２Ｂと、両直線部１１、１２の隅部より電磁波収束体４側を指挿入穴１に向けて配設された流体活性体２Ｃとの３個１組を少なくとも有する。【選択図】      図１
2011255094.tif 000002
【特許請求の範囲】
【請求項１】
指を挿入する指挿入穴が形成され、この指挿入穴の周囲に複数個配設された流体活性体を有し、前記流体活性体は、エポキシ樹脂でカバーに一体的に固定されており、前記カバーは、ほぼ直角に伸びた直線部と、両直線部の端部を円弧状に結んだ円弧部とから形成され、前記流体活性体は、円弧部の両端より電磁波収束体側を前記指挿入穴に向けて配設された流体活性体と、両直線部の隅部より電磁波収束体側を前記指挿入穴に向けて配設された流体活性体との３個１組を少なくとも有することを特徴とする血液酸化抑制器具。
【請求項２】
指を挿入する指挿入穴が形成され、この電磁波収束体側を前記指挿入穴に向けて指挿入穴の周囲に複数個配設された流体活性体を有し、前記流体活性体は、エポキシ樹脂でカバーに一体的に固定されており、前記カバーは、ほぼ四角形状よりなり、前記流体活性体は、前記カバーの四隅より電磁波収束体側を前記指挿入穴に向けて配設された４個１組を少なくとも有することを特徴とする血液酸化抑制器具。
【発明の詳細な説明】
【技術分野】
【０００１】
本発明は血液酸化抑制器具に関する。
【背景技術】
【０００２】
従来、流体活性化装置として、特許文献１が知られている。この装置は、パイプに流れる流体を活性化させるために、パイプの外周に配設される流体活性体を備えている。この流体活性体、複種類の金属酸化物の粉末を高温で焼結させた黒体放射焼結体と、この黒体放射焼結体より放射される電磁波を一定の波長に収束させる電磁波収束体とからなり、前記電磁波収束体は、６個以上の磁石をＮ極とＳ極が互いに交互に配置して積層され、これらの積層された磁石を貫通する電磁波通過穴が形成されている。
【特許文献１】特許第３９５２４７７号（特開２００６−６８６２１号）公報
【発明の開示】
【発明が解決しようとする課題】
【０００３】
上記従来技術は、あくまでも流体の活性化の問題点を解決することを課題としており、人体の血液に対する効果は全く予想していない。本発明者らは共同チームを結成し、後記するように人体の血液に対しても効果を有するか実験を行なった結果、電磁波照射によって酸化ストレスを低下及び除去させることができ、酸化ストレス起因の疾病に効果を奏し、不眠症などの治療に応用できることが判明した。
【０００４】
本発明の課題は、流体活性体を用い、人体の血液の酸化ストレスを抑制することができ、小型軽量小型で安価な血液酸化抑制器具を提供することにある。
【課題を解決するための手段】
【０００５】
上記課題を解決するための本発明の請求項１は、指を挿入する指挿入穴が形成され、この指挿入穴の周囲に複数個配設された流体活性体を有し、前記流体活性体は、エポキシ樹脂でカバーに一体的に固定されており、前記カバーは、ほぼ直角に伸びた直線部と、両直線部の端部を円弧状に結んだ円弧部とから形成され、前記流体活性体は、円弧部の両端より電磁波収束体側を前記指挿入穴に向けて配設された流体活性体と、両直線部の隅部より電磁波収束体側を前記指挿入穴に向けて配設された流体活性体との３個１組を少なくとも有することを特徴とする。
【０００６】
上記課題を解決するための本発明の請求項２は、請求項１において、指を挿入する指挿入穴が形成され、この電磁波収束体側を前記指挿入穴に向けて指挿入穴の周囲に複数個配設された流体活性体を有し、前記流体活性体は、エポキシ樹脂でカバーに一体的に固定されており、前記カバーは、ほぼ四角形状よりなり、前記流体活性体は、前記カバーの四隅より電磁波収束体側を前記指挿入穴に向けて配設された４個１組を少なくとも有することを特徴とする。
【発明の効果】
【０００７】
親指又は人指し指を指挿入穴に挿入すると、指の血管に対して３個又は４個の流体活性体のいずれかの特定のレーザー的電磁波が照射される。これにより、血液中の酸化ストレスを低下及び除去し、酸化ストレス起因の疾病に効果を奏し不眠症などが治療がされる。また指挿入型で流体活性体を設けた簡単な構造であるので、小型軽量で安価に製作できる。
【発明を実施するための最良の形態】
【０００８】
本発明の血液酸化抑制器具の一実施の形態を図１乃至図３により説明する。血液酸化抑制器具は、小型軽量で安価に製作し、家庭で使用できるように指挿入型とした。
【０００９】
指を挿入する指挿入穴１の周囲には、３個１組の流体活性体２Ａ、２Ｂ、２Ｃが４組配設されている。流体活性体２Ａ、２Ｂ、２Ｃは特許文献１の構成よりなっている。即ち、流体活性体２Ａ、２Ｂ、２Ｃは、黒体放射焼結体３と、この黒体放射焼結体３より発生した電磁波を特定の波長に収束させる電磁波収束体４よりなっている。そして、電磁波収束体４側が指挿入穴１になるように配設されている。
【００１０】
流体活性体２Ａ、２Ｂ、２Ｃは、エポキシ樹脂５でカバー１０に一体的に固定されている。カバー１０はほぼ直角に伸びた直線部１１、１２と、この両直線部１１、１２の端部を円弧状に結んだ円弧状１３とからなっており、直線部１２は支持板１４に固定されている。なお、支持板１４は無くても良い。前記指挿入穴１は円弧部１３の端部を結ぶ線上の中央部に形成されている。また流体活性体２Ａ、２Ｂは、円弧状１３の端部を結ぶ線上で指挿入穴１に向けて配設され、流体活性体２Ｃは直線部１１、１２の隅部より指挿入穴１に向けて配設されている。
【００１１】
次に作用について説明する。親指又は人指し指を指挿入穴１に挿入する。３個の流体活性体２Ａ、２Ｂ、２Ｃがほぼ９０度の間隔で配設されているので、指の血管に対して流体活性体２Ａ、２Ｂ、２Ｃのいずれかの特定のレーザー的電磁波が照射される。これにより、血液中の酸化ストレスを低下及び除去し、酸化ストレス起因の疾病に効果を奏し不眠症などが治療がされる。また指挿入型で流体活性体２Ａ、２Ｂ、２Ｃを設けた簡単な構造であるので、小型軽量で安価に製作できる。
【００１２】
図４は本発明の血液酸化抑制器具の他の実施の形態を示す。なお、上記実施の形態と同じ又は相当部材には同一符号を付して説明する。本実施の形態は、４個１組の流体活性体２Ａ、２Ｂ、２Ｃ、２Ｄを設けた場合を示す。カバー１０は四角形状よりなり、流体活性体２Ａ、２Ｂ、２Ｃ、２Ｄは、カバー１０の四隅より指挿入穴１に向けて配設されている。このように構成しても前記と同様の効果が得られる。
【００１３】
なお、上記実施の形態は、３個又は４個１組の流体活性体を４組設けた場合について説明したが、組数は１組以上であればよく、特に限定されない。
【００１４】
次に本実施の形態の血液酸化抑制器具が人及び動物の酸化ストレスを除去し、酸化ストレス起因の疾病に効果を奏して不眠症などの治療に応用できることを実証する実験結果を以下に述べる。以下の実験において、「Ｙｕｂｉ−ＭＲ」とは、本実施の形態の図１乃至図３に示す血液酸化抑制器具で、３個の流体活性体２Ａ、２Ｂ、２Ｃを１組設けたものを指す。「動物用Ｙｕｂｉ−ＭＲ」とは、日本システム企画株式会社の製品名「パイプテクター」を使用した器具で、特許文献１（特許第３９５２４７７号）の請求項４のように構成した流体活性化装置を指す。「ダミー装置」とは、ウイグラー磁石だけを装着したもので、「動物用Ｙｕｂｉ−ＭＲ」と対比するために製作した。
【００１５】
また「ＢＡＰ」とは、「ｂｉｏｌｏｇｉｃａｌ  ａｎｔｉｏｘｉｄａｎｔ  ｐｏｔｅｎｔｉａｌ」の略称で、「抗酸化力」を意味する。「ｄＲＯＭ」とは、「Ｄｉａｃｒｏｎ
ｒｅａｃｔｉｖｅ  ｏｘｙｇｅｎ  ｍｅｔａｂｏｌｉｔｅｓ」の略称で、「酸化ストレス」を意味する。なお、ＢＡＰ及びｄＲＯＭは、ウイスマー社のＦＲＡＳ４（Ｆｒｅｅ  Ｒａｄｉｃａｌ  Ａｎａｌｙｔｉｃａｌ  Ｓｙｓｔｅｍ４）により測定した。
【００１６】
実験者：山本  正雅は、奥羽大学薬学部准教授、米原  典史は、奥羽大学薬学部教授、小池  勇一は、奥羽大学薬学部教授である。
実験場所：奥羽大学・薬学部・生化学部門研究室
【００１７】
実験１：人の血液を用いた実験
実験者：山本  正雅、小池  勇一
実験日：平成２１年１１月１０日〜平成２２年２月７日
対象者：９人の健常人（２０〜５８歳、男性４人、女性５人）のＢＡＰ、ｄＲＯＭを測定した。
採血方法とＹｕｂｉ−ＭＲの照射：翼状針２１Ｇを用いて肘静脈より、注射筒（２．５ｍ）にヘパリン１０μｌ（１０００単位／ｍｌ）を含ませ１．５ｍｌの採血を行い、これを処理前血液とした。Ｙｕｂｉ−ＭＲの照射は、肘静脈に翼状針を装着したまま同側の人指し指をＹｕｂｉ−ＭＲの指挿入穴に挿入し、１０分間安静に保ち照射した。その後、１．５ｍｌの血液を脱血し、それに続く１．５ｍｌの血液を同様にヘパリン採血した。これを照射後血液とした。なお、この測定は、Ｙｕｂｉ−ＭＲの特許出願前の実験であるので、測定対象者には秘密を保持するように伝えて行なった。
【００１８】
結果：表１は、９人のＹｕｂｉ−ＭＲ照射前後のＢＡＰとｄＲＯＭの変化を示し、図５は、９人のＢＡＰ／ｄＲＯＭ比のＹｕｂｉ−ＭＲ照射前後の変化を示す。表１及び図５より明らかなように、ＢＡＰ値はＹｕｂｉ−ＭＲ照射前後で全く変化はないが、ｄＲＯＭ値は有意（５％以下の危険率）にＹｕｂｉ−ＭＲ照射後に減少することが判った。
考察：Ｙｕｂｉ−ＭＲ照射は、ＢＡＰ値に変化を与えず、ｄＲＯＭ値を減少させる効果がある。これは、Ｙｕｂｉ−ＭＲによる還元作用による効果であると考えられた。
【００１９】
【表１】
2011255094.tif 000003
【００２０】
実験２：マウスの血液を用いた実験
実験者：山本  正雅、米原  典史、小池  勇一
実験日：平成２１年１０月２２日〜平成２２年２月７日
動物：マウス（１０週令、オス２匹）を用いた。
装置：動物用Ｙｕｂｉ−ＭＲは、直径５．６ｃｍ、長さ２０．５ｃｍに装着可能な形式で、０．００１ｄＢＶの強度の電磁波を放射できるものを使用。
方法：マウスを動物用Ｙｕｂｉ−ＭＲのパイプに入れ、束縛せずに１分間、自由に行動させた。その後、エーテル麻酔下に心臓より採血した。
【００２１】
結果：図６は、動物用Ｙｕｂｉ−ＭＲのマウスへのＢＡＰ／ｄＲＯＭ比に及ぼす影響を示す。図６より明らかなように、マウスではＢＡＰ／ｄＲＯＭ比は１４〜２６を示し、人でのＢＡＰ／ｄＲＯＭ比は６〜１３と値が異なっていたが、動物用Ｙｕｂｉ−ＭＲによる照射では、人の場合と同様にＢＡＰ／ｄＲＯＭの増加が認められた。しかし、マウスの数が２匹と少ないので、数を増やして確認する必要がある。
考察：人指し指へのＹｕｂｉ−ＭＲ照射の場合と同様に、マウスの全身への動物用Ｙｕｂｉ−ＭＲによる照射でもＢＡＰ／ｄＲＯＭ比を増加させる効果があることが明らかになった。
【００２２】
実験３：動物用Ｙｕｂｉ−ＭＲのマウスの行動に及ぼす影響
実験者：山本  正雅、米原  典史、小池  勇一
実験日：平成２１年５月２６日〜平成２２年２月７日
動物：８匹のマウスを用いた。
装置：動物用Ｙｕｂｉ−ＭＲは、直径５．６ｃｍ、長さ２０．５ｃｍに装着可能な形式で、０．００１ｄＢＶの強度の電磁波を放射できるものを使用。またダミー装置も用いた。
測定：８個の動物ケージの真上に赤外線を感知するセンサーを取付け、マウスが行動した時（動いた時）にポイントがコンピュータに積算される実験動物運動量測定システム（Ｍｕｒｏｍａｃｈｉ  Ｋｉｋａｉ  Ｃｏ製）を用い、行動量を１分毎に積算し、２４時間集計した。解析には１７時間１２分までの値を要した。
方法：動物用Ｙｕｂｉ−ＭＲを装着したパイプ（直径５．６ｃｍ、長さ２０．５ｃｍ）の中に、マウスを１分間、１０分間、３０分間放置した後、取り出し、それぞれのケージに移し行動量を観察した。照射時間と計測時間の条件は表２のように実験を行なった。実験番号の付いたシリーズの実験は５日間行い、１匹のマウスの行動量は５回（５日分）の繰り返しの運動量のデータから得られた。
【００２３】
結果：動物用Ｙｕｂｉ−ＭＲを１分〜３０分間照射したマウスとダミー装置を置いたマウスの行動量を比較した。表３は動物用Ｙｕｂｉ−ＭＲとダミー装置の照射によるマウス行動量の抑制を示し、図７は動物用Ｙｕｂｉ−ＭＲとダミー装置の照射時間と行動量の関係を示し、図８は動物用Ｙｕｂｉ−ＭＲとマグネット照射によるマウスの行動量の積分値の比較を示す。表３に示すように、動物用Ｙｕｂｉ−ＭＲ照射で有意にダミー装置照射より行動量の低下が認められた（ｐ＝０．０３５）。この動物用Ｙｕｂｉ−ＭＲによる行動の低下は、図７より明らかなように、照射時間を３０分から１分に短縮しても観察できた。また図８に示すように、照射時間を１分間とした時、２４時間までの行動量（ｎ＝４）の積分曲線は、動物用Ｙｕｂｉ−ＭＲによる影響がマウスの行動する特定の時間に集中しているわけではなく、動物用Ｙｕｂｉ−ＭＲ照射直後から行動量の低下が起きていることが判った。
【００２４】
考察：マウスの全身に動物用Ｙｕｂｉ−ＭＲを照射すると、ダミー装置の照射に比べ行動量の減少が見られる。この効果は照射直後から見られ、照射時間を３０分から１分に短縮しても観察できた。ダミー装置ではこのような効果が認められないことから、動物用Ｙｕｂｉ−ＭＲから出ている電磁波による効果であると考えられる。
【００２５】
【表２】
2011255094.tif 000004
【００２６】
【表３】
2011255094.tif 000005
【００２７】
実験４：動物用Ｙｕｂｉ−ＭＲによる行動量の減弱効果の回復
実験者：山本  正雅、米原  典史、小池  勇一
実験日：平成２１年１１月９日〜平成２２年２月７日
目的：動物用Ｙｕｂｉ−ＭＲの作用で行動量が減少したマウスに対して動物用Ｙｕｂｉ−ＭＲ及びダミー装置によるマグネット照射に変えた時、行動量が回復するか否かを検討した。
方法：マウス番号ＮＯ．１−４の４匹に動物用Ｙｕｂｉ−ＭＲを１分間照射し、行動量の減弱を確認したマウスを第２週目にダミー装置を１分間照射し、マウス番号ＮＯ．５−８（４匹）のダミー装置を照射したマウス４匹に動物用Ｙｕｂｉ−ＭＲを照射した。
運動停止時間の測定：実験動物運動量測定システム（Ｍｕｒｏｍａｃｈｉ  Ｋｉｋａｉ  Ｃｏ製）を用いマウスの運動量を１分単位で測定し、２４時間モニターした。１分間の計測中全く運動量が無かった場合を１ポイントとして変換し、エクセルを使ってモニターした２４時間値を算出した。
【００２８】
結果：図９に示すように、動物用Ｙｕｂｉ−ＭＲ照射により運動停止時間が延長したマウスは、マグネット照射に変更すると回復する傾向にある。縦軸はマウス（ｎ＝４の合計とＳＥ（標準誤差）を示す）が２４時間当たり運動を停止した時間（分単位）を示してある。また図１０は別の実験で、動物用Ｙｕｂｉ−ＭＲ照射による運動量の減少の回復を示す。縦軸は１匹当たりの運動量（ｐｏｉｎｔ）を示し、横軸は時間を表している。即ち、動物用Ｙｕｂｉ−ＭＲ照射により運動量が減少したことを確認した。マウス（ｎ＝４）を２日間休息させ、動物用Ｙｕｂｉ−ＭＲを照射せず行動量を更に５日間測定した。動物用Ｙｕｂｉ−ＭＲ照射の停止と共にマウスの行動量の増加が認められ、１日〜５日後には回復することが判った。
【００２９】
考察：動物用Ｙｕｂｉ−ＭＲの効果がどれくらい継続するのか、或いは動物用Ｙｕｂｉ−ＭＲ照射を止めたら、行動量の回復は認められるかなどの疑問に答えるためにこの実験を行なった。動物用Ｙｕｂｉ−ＭＲ照射をした後、２日間の無処理で飼育し、３日目から５日間、無処理で行動量を測定すると行動の回復が認められた。この結果から、動物用Ｙｕｂｉ−ＭＲ照射を中止すると速やかに行動の回復が起きるものと考えられた。
【００３０】
実験５：動物用Ｙｕｂｉ−ＭＲの行動周期に及ぼす影響
実験者：山本  正雅、米原  典史、小池  勇一
実験日：平成２１年５月２６日〜平成２２年２月７日
目的：実験１〜３で動物用Ｙｕｂｉ−ＭＲにはマウスの行動量を抑制する効果があることが示唆された。そこで、動物用Ｙｕｂｉ−ＭＲは行動周期を変化させるか否かを検討した。
方法：行動量のデータを用いてフーリエ変換し行動の周波数の変化を調べた。
結果：図１１はマグネット照射による時系列の周波数変化を示し、図１２は動物用Ｙｕｂｉ−ＭＲ照射による時系列の周波数変化を示す。図１１及び図１２において、横軸の単位は「時」で、縦軸は行動力を表すので、「ポイント」を示す。
図１３はマグネット照射によるＰｅｒｉｏｄｇｒａｍを示し、図１４は動物用Ｙｕｂｉ−ＭＲ照射によるＰｅｒｉｏｄｇｒａｍを示す。
考察：図１１と図１２、図１３と図１４を比較して周波数解析をした結果、著しい周波数の変化は認められなかった。それ故、本研究で見られた動物用Ｙｕｂｉ−ＭＲの照射により、マウスの行動量が減少するという減少は行動のパターン（周波数）を変えず、行動量そのものを低下させていると考えられた。
【００３１】
総括：Ｙｕｂｉ−ＭＲは動物用Ｙｕｂｉ−ＭＲが持つ特別な電磁波の照射能力を持っている。この能力は浄水中の鉄イオンの除去、錆止め効果として既にその価値が著しく定着している。その原理は、おそらく黒体放射による電磁波が水分子に作用し、ＮＭＲの効果をもってこれをイオン化することに起因するのであろう。このようなパワフルな還元効果は水中の鉄イオンだけでなく、生体中の酸化物質にも電子を与え還元できることを物語っている。本研究では、そこに注目し、血液の酸化ストレスに及ぼす影響を観察した。その結果、驚くべきことに、僅か１０分間の人指し指への照射で酸化ストレス値を有意に低下させることができるということが判った。おそらく、動物用Ｙｕｂｉ−ＭＲで見られる同じ機序（メカニズム・仕組み）で血中の酸化物質を還元したのであろう。この効果は動物実験でも同じ作用が見られ、ＢＡＰ／ｄＲＯＭ値の上昇により確認できた。
【００３２】
Ｙｕｂｉ−ＭＲは物理的現象を利用し、生体の酸化ストレスを低下できる新しい装置である。またこの成果は電磁波（特殊な波）を使用すれば、酸化ストレスを低下できるという事実も有している。酸化ストレスを除去することは、生体にとってどのようなメリットがあるかを調べる目的で、動物の行動に及ぼす影響を観察した。この実験をするには、磁石の影響を考慮しなければいけない。何故ならば、黒体放射からの波を増幅しかつフィルターをかけるためにウイグラー磁石が使われる。生物には磁場の影響があるとされる報告があり、出来る限り磁石の影響を排除することを試みた。動物実験に当たり、以下に列記するいくつかの問題があった。（１）照射時間の検討、（２）動物の体の照射場所の検討、（３）実験開始時間の設定
【００３３】
磁束密度をＹｕｂｉ−ＭＲと同一に合わせたダミー装置を対照に用いてＹｕｂｉ−ＭＲの効果を検討した。その結果、Ｙｕｂｉ−ＭＲの１分照射はダミー装置に比べ明らかにマウスの行動量が抑制されることが明らかになった。このＹｕｂｉ−ＭＲの効果は一時的で照射を止めると、行動量が増加するということも明らかになった。そして、Ｙｕｂｉ−ＭＲの作用は生物の周期を変化させるような大きな変化ではないことが判った。
【００３４】
我々生物は３６億年もの間に進化し、酸素を得て物質を酸化することによりエネルギーを得てきた。初期の酸素の無い地球から、酸素のある地球に変化したことにより、莫大なエネルギーを利用できる生命体が誕生することになった。その恩恵は現在の地球の生物の数が物語っている。その反面、酸化ストレスが体に蓄積し老化現象を引き起こしたり、動脈硬化を促進させたり、癌の発生率を上げたり死期を早める結果になる。これをいくらかでも低下させることができれば、生物の延命効果があると考えるのは当然である。このような観点から、ここで提示したＹｕｂｉ−ＭＲは、生物に還元力を賦与し、血液の酸化を抑制する生物学的に意義のある装置ではないだろうか。Ｙｕｂｉ−ＭＲの安全性を高め、生物学的効果を示し市場へ普及するように開発されることが期待される。
【図面の簡単な説明】
【００３５】
【図１】本発明の血液酸化抑制器具の一実施の形態を示す正面図である。
【図２】図１の平面図である。
【図３】図１のＡ−Ａ線断面図である。
【図４】本発明の血液酸化抑制器具の他の実施の形態を示す正面図である。
【図５】健常人ドナーのＢＡＰ／ｄＲＯＭ比のＹｕｂｉ−ＭＲの照射前後の変化を示す図である。
【図６】動物用Ｙｕｂｉ−ＭＲのマウスへのＢＡＰ／ｄＲＯＭ比に及ぼす影響を示す図である。
【図７】動物用Ｙｕｂｉ−ＭＲとダミー装置の照射時間と行動量との関係を示す図である。
【図８】動物用Ｙｕｂｉ−ＭＲとダミー装置の照射によるマウスの行動量の積分値の比較を示す図である。
【図９】動物用Ｙｕｂｉ−ＭＲの照射後のマウス対するダミー装置の照射による回復を示す図である。
【図１０】動物用Ｙｕｂｉ−ＭＲの照射後による運動量の減少回復を示す図である。
【図１１】ダミー装置の照射による時系列の周波数変化を示す図である。
【図１２】動物用Ｙｕｂｉ−ＭＲの照射による時系列の周波数変化を示す図である。
【図１３】ダミー装置の照射によるＰｅｒｉｏｄｇｒａｍを示す図である。
【図１４】動物用Ｙｕｂｉ−ＭＲの照射によるＰｅｒｉｏｄｇｒａｍを示す図である。
【符号の説明】
【００３６】
１    指挿入穴
２Ａ、２Ｂ、２Ｃ、２Ｄ    流体活性体
３    １０２
４    電磁波収束体
５    エポキシ樹脂
１０    カバー
１１、１２    直線部
１３    円弧状
【図１】
2011255094.tif 000006
【図２】
2011255094.tif 000007
【図３】
2011255094.tif 000008
【図４】
2011255094.tif 000009
【図５】
2011255094.tif 000010
【図６】
2011255094.tif 000011
【図７】
2011255094.tif 000012
【図８】
2011255094.tif 000013
【図９】
2011255094.tif 000014
【図１０】
2011255094.tif 000015
【図１１】
2011255094.tif 000016
【図１２】
2011255094.tif 000017
【図１３】
2011255094.tif 000018
【図１４】
2011255094.tif 000019